(57)【要約】【課題】  竪枠と下枠との内周コーナー部の掃除が容易に行え、しかもコーナーピースをビスを用いないで強固に固定できるサッシの提供。【解決手段】  竪枠１ａ，１ｂ及び下枠２と、竪枠と下枠との内周コーナー部３に取付けたコーナーピース４とを備え、コーナーピース４は本体部５と係止爪６とからなり、本体部５は竪枠内周面７と下枠上面８とを傾斜面９で接続するものであり、係止爪６は本体部の下方に突出して設けてあり、下枠端部に形成した切欠部１０に係止爪６を側方より係止し、竪枠内周面７に下枠２端部を当接させることでコーナーピース４を固定している。【選択図】      図１
2010163858.tif 000002
【特許請求の範囲】
【請求項１】
竪枠及び下枠と、竪枠と下枠との内周コーナー部に取付けたコーナーピースとを備え、コーナーピースは本体部と係止部とからなり、本体部は竪枠内周面と下枠上面とを傾斜面で接続するものであり、係止部は本体部に突出して設けてあり、竪枠と下枠とを組む際にコーナーピースの係止部を竪枠及び下枠の少なくとも何れか一方に形成した被係止部に係止し、竪枠内周面に下枠端部を当接させることでコーナーピースを固定していることを特徴とするサッシ。
【請求項２】
コーナーピースの係止部は、本体部の下方に突出して設けた係止爪であり、被係止部は、下枠端部に形成した切欠部であることを特徴とする請求項１記載のサッシ。
【請求項３】
竪枠内周面と下枠端面との間にシール材が設けてあり、シール材の上部がコーナーピースの本体部に進入していることを特徴とする請求項１又は２記載のサッシ。
【発明の詳細な説明】
【技術分野】
【０００１】
本発明は、竪枠と下枠との内周コーナー部の掃除のしやすいサッシに関する。
【背景技術】
【０００２】
従来のサッシにおいては、竪枠と下枠との内周コーナー部にゴミが溜まったりカビが生じたりして汚れた状態となり、ホウキや雑巾を使ってもそのゴミ等をなかなか除去できない不都合があった。
特許文献１には、竪枠と下枠との内周コーナー部に、上面を凹円弧状傾斜面としたコーナーピース（ブロック片３０）を取付けることが開示されている。このコーナーピースは、竪枠にビスで取り付けるか、竪枠及び下枠に両面テープで接着して取付けるようにしている。
しかし、ビスで取付ける場合には、ビスの頭がサッシ枠内周に露出して見た目が悪い上、ビスの挿入孔やビス周りにゴミ等がこびりついて汚くなる。さらに、ビスが緩んでコーナーピースにがたつきが生ずるおそれもある。コーナーピースを竪枠と下枠に両面テープで接着して取付けた場合には、サッシ枠内周に生ずる結露水により両面テープの接着力が低下し、コーナーピースが取れてしまうおそれがある。
【先行技術文献】
【非特許文献】
【０００３】
【特許文献１】実用新案登録第３１４１５７８号公報
【発明の概要】
【発明が解決しようとする課題】
【０００４】
本発明は以上に述べた実情に鑑み、竪枠と下枠との内周コーナー部の掃除が容易に行え、しかもコーナーピースをビスを用いないで強固に固定できるサッシの提供を目的とする。
【課題を解決するための手段】
【０００５】
上記の課題を達成するために請求項１記載の発明によるサッシは、竪枠及び下枠と、竪枠と下枠との内周コーナー部に取付けたコーナーピースとを備え、コーナーピースは本体部と係止部とからなり、本体部は竪枠内周面と下枠上面とを傾斜面で接続するものであり、係止部は本体部に突出して設けてあり、竪枠と下枠とを組む際にコーナーピースの係止部を竪枠及び下枠の少なくとも何れか一方に形成した被係止部に係止し、竪枠内周面に下枠端部を当接させることでコーナーピースを固定していることを特徴とする。
【０００６】
請求項２記載の発明によるサッシは、請求項１記載の発明の構成に加え、コーナーピースの係止部は、本体部の下方に突出して設けた係止爪であり、被係止部は、下枠端部に形成した切欠部であることを特徴とする。
【０００７】
請求項３記載の発明によるサッシは、請求項１又は２記載の発明の構成に加え、竪枠内周面と下枠端面との間にシール材が設けてあり、シール材の上部がコーナーピースの本体部に進入していることを特徴とする。
【発明の効果】
【０００８】
請求項１記載の発明によるサッシは、竪枠と下枠との内周コーナー部にコーナーピースが取付けてあって、コーナーピースの本体部が竪枠内周面と下枠上面とを傾斜面で接続しているので、竪枠と下枠との内周コーナー部にゴミが溜まらず、且つ雑巾等で容易に掃除できる。しかもコーナーピースは、本体部に突出して設けた係止部を有し、竪枠と下枠とを組む際に係止部を竪枠及び下枠の少なくとも何れか一方に形成した被係止部に係止し、竪枠内周面に下枠端部を当接させることで固定しているので、ビスを使わずに強固に固定できる。
【０００９】
請求項２記載の発明によるサッシは、コーナーピースの本体部の下方に係止爪を突出して設け、下枠端部に係止爪が係止する切欠部を設けたので、竪枠と下枠とを組む際に係止爪を下枠端部の切欠部に側方より係止することでコーナーピースを下枠側に容易に組み付けでき、竪枠内周面に下枠端部を当接させると係止爪が切欠部から抜けなくなるため、コーナーピースをがたつきなく強固に固定できる。
【００１０】
請求項３記載の発明によるサッシは、竪枠内周面と下枠端面との間にシール材が設けてあり、シール材の上部がコーナーピースの本体部に進入していることで、竪枠と下枠とのコーナー部のシール性を高められる。
【図面の簡単な説明】
【００１１】
【図１】竪枠と下枠とのコーナー部を示す斜視図である。
【図２】同部分の分解斜視図である。
【図３】図１のＡ−Ａ断面図である。
【図４】本発明の一実施形態に係る引き違いサッシの室外側正面図である。
【図５】同サッシの縦断面図である。
【図６】同サッシの横断面図である。
【図７】（ａ）はコーナーピースの平面図、（ｂ）はコーナーピースの側面図、（ｃ）はコーナーピースの正面図である。
【図８】コーナーピースの他の実施形態を示す竪枠と下枠とのコーナー部の分解斜視図である。
【図９】図８のコーナーピースの取付状態を示す竪枠と下枠とのコーナー部の縦断面図である。
【図１０】コーナーピースのさらに別の実施形態を示す竪枠と下枠とのコーナー部の分解斜視図である。
【図１１】図１０のコーナーピースの取付状態を示す竪枠と下枠とのコーナー部の縦断面図である。
【図１２】コーナーピースのさらに別の実施形態を示す竪枠と下枠とのコーナー部の縦断面図である。
【発明を実施するための形態】
【００１２】
以下、本発明の実施の形態を図面に基づいて説明する。図４は本発明の一実施形態に係る引き違いサッシの室外側正面図であり、図５は同サッシの縦断面図であり、図６は同サッシの横断面図である。また図１は、同サッシの竪枠と下枠とのコーナー部を示す斜視図であり、図２はこの部分の分解斜視図であり、図３は図１のＡ−Ａ断面図である。
本サッシは、図４〜６に示すように、躯体開口部に取付けたサッシ枠１１と、サッシ枠１１内に引き違い状に開閉自在に納めた外障子１２ａ及び内障子１２ｂと、サッシ枠１１内の外障子１２ａの屋外側に左右方向に移動自在に納めた網戸１３とを備えている。
サッシ枠１１は、アルミニウム合金の押出形材で形成した上枠１４と下枠２と左右の竪枠１ａ，１ｂを方形に枠組みして構成してあり、各枠材１４，２，１ａ，１ｂの室内外方向の中間位置に躯体固定片１５を四周に亘って有し、その躯体固定片１５を躯体１６に当接してビス止めすることで固定されている。またサッシ枠１１は、室内側にアングル部１７を四周に亘って有している。
外障子１２ａは、アルミニウム合金の押出形材で形成した上框１８ａと下框１９ａと戸先框２０ａと戸尻框２１ａとを方形に枠組みし、その枠内にガラスパネル２２を納めて構成してある。内障子１２ｂも同じように、アルミニウム合金の押出形材で形成した上框１８ｂと下框１９ｂと戸先框２０ｂと戸尻框２１ｂとを方形に枠組みし、その枠内にガラスパネル２２を納めて構成してある。外障子１２ａと内障子１２ｂは、下框１９ａ，１９ｂの左右両端部の下部に戸車２３ａ，２３ｂを有している。また外障子１２ａと内障子１２ｂは、クレセント２４により施錠される。
【００１３】
上枠１４は、図５に示すように、室外側端部に垂下片２５を有し、その室内側に間隔をおいて外障子１２ａ用の上レール２６ａと内障子１２ｂ用の上レール２６ｂを下方に垂下して有している。
室外側から見て右側の竪枠１ａは、図６に示すように、内周面７に外障子１２ａの戸先框２０ａとの係合部２７ａが、断面略台形状に隆起した形で設けてある。室外側から見て左側の竪枠１ｂは、内周面７に内障子１２ｂの戸先框２０ｂとの係合部２７ｂが、断面略台形状に隆起した形で設けてある。
【００１４】
下枠２は、図５に示すように、中空部を有する筒状に形成されている。下枠２の上面８には、外障子１２ａ用のレール２８ａと内障子１２ｂ用のレール２８ｂが、円弧状の丸みを帯びた断面形状で下枠上面８から僅かに（２ｍｍ程度）隆起する形で形成してあり、下枠上面８は略フラットになっている。各レール２８ａ，２８ｂ上には、ガイドブロック２９ａ，２９ｂが一つずつ取付けてある。ガイドブロック２９ａ，２９ｂの取付位置は、図４と図６に示すように、外障子１２ａ用のレール２８ａ上のガイドブロック２９ａは、閉鎖した状態の外障子１２ａの戸尻側の戸車２３ｂの戸先側に隣接する位置に取付けてあり、内障子１２ｂ用のレール２８ｂ上のガイドブロック２９ｂは、閉鎖した状態の内障子１２ｂの戸尻側の戸車２３ｂの戸先側に隣接する位置に取付けてある。ガイドブロック２９ａ，２９ｂは、図６に示すように、室外側面と室内側面が平面視円弧状に膨らんだブロック状に形成され、上方からの２本のネジでレール２８ａ，２８ｂ上にそれぞれ固定してある。
図５に示すように、下枠２上面側の室外側端部には、網戸用レール３０を有している。網戸用レール３０は、フラットな下枠上面８と連続して室外側に張り出す戸車走行部３１と、戸車走行部３１の室外側端部に設けた垂下部３２とを有する下向きＬ字状断面に形成されている。
また下枠２は、竪枠１ａ，１ｂとの連結用のビス３３が挿入されるタッピングホール３４を３箇所に分散して有している。
【００１５】
図１と図６に示すように、竪枠１ａ，１ｂと下枠２との内周コーナー部３には、コーナーピース４が取付けてある。コーナーピース４は、硬質樹脂で一体成形したもので、図３に示すように、竪枠内周面７と下枠上面８とで形成される９０°の入隅部に密着して配置される本体部５と、本体部５の下方に突出して設けた係止爪６とを有している。
本体部５は、高さ及び横幅が１０ｍｍの略直角三角形状断面の細長い棒状で、図６に示すように、竪枠１ａ，１ｂの室外側見付片３５の内側からアングル部１７にまで達する長さを有し、図３に示すように、上面は半径１５ｍｍ（Ｒ１５）の凹曲面状の傾斜面９となっており、この傾斜面９が竪枠内周面７と下枠上面８とを滑らかに接続している。本体部５の下面には、図７（ｂ）に示すように、外障子１２ａ用のレール２８ａと内障子１２ｂ用のレール２８ｂが嵌合する溝３６ａ，３６ｂが形成してある。また本体部５には、竪枠１ａ，１ｂの係合部２７ａ，２７ｂと連続する突部３７が設けてある。
係止爪６は、本体部５の下面に室内外方向に間隔をおいて２つ形成してあり、係止爪６の形状は下枠２の長手方向中央側を向く鉤状になっている。係止爪６は、図３に示すように、下枠２の端部が当接する竪枠１ａ，１ｂの内周面７に貼着されるシール材３８の厚み分だけ、本体部５の側面より下枠２の長手方向中央側にずれた位置に設けてある。そのため、本体部５と竪枠１ａ，１ｂの内周面７との間に隙間が空かず、また竪枠１ａ，１ｂの内周面７と下枠２の端部との隙間がシール材３８によりシールされる。
【００１６】
次に、上記コーナーピース４の取付け方を説明する。図２に示すように、竪枠１ａ，１ｂは室外側見付片３５と係合部２７ａ，２７ｂとアングル部１７の下端部を切除し、内周面７に下枠２の端部を突き当てる突き当て部が形成され、この突き当て部には発泡ゴム等の弾力性を有するシートよりなるシール材３８を貼着している。下枠２は、上面８の長手方向端部にコーナーピース４の係止爪６が係止する切欠部１０を形成しておく。コーナーピース４は、下枠２の切欠部１０に係止爪６を側方より係止して下枠上面８に取付ける。その後、下枠２の端部をシール材３８が貼着された竪枠内周面７に突き当て、竪枠１ａ，１ｂを貫通して下枠２のタッピングホール３４にビス３３をそれぞれ挿入し、竪枠１ａ，１ｂと下枠２とを連結固定する。このように、竪枠１ａ，１ｂと下枠２とを連結する際に係止爪６を下枠２の切欠部１０に側方より係止してコーナーピース４を取付け、その後に下枠２端部を竪枠内周面７に当接することにより、本体部５が竪枠内周面７に押さえられて係止爪６が抜けなくなるため、コーナーピース４は竪枠１ａ，１ｂと下枠２との内周コーナー部３に強固に固定され、絶対に取れなくなる。下枠２の切欠部１０は、コーナーピース本体部５に隠れて見えなくなる。
【００１７】
上框１８ａ，１８ｂは、図５に示すように、上方に開放した溝部３９ａ，３９ｂを有し、溝部３９ａ，３９ｂに上枠１４の上レール２６ａ，２６ｂを差し入れてガイドされている。上框１８ａ，１８ｂの室外側面と室内側面は、溝や段差のないフラット面となっている。
戸先框２０ａ，２０ｂは、図６に示すように、外周側面に凹部４０ａ，４０ｂが形成され、障子閉鎖時に該凹部４０ａ，４０ｂが竪枠１ａ，１ｂの係合部２７ａ，２７ｂと係合して室内外方向の移動が規制されるようになっている。凹部４０ａ，４０ｂの室外側にはタイト材４１が取付けてあり、タイト材４１が係合部２７ａ，２７ｂの室外側の斜面に当接している。戸先框２０ａ，２０ｂの室外側面と室内側面は、溝や段差のないフラット面に形成されており、室内側面には埋め込み型の引手４２が取付けてある。
【００１８】
下框１９ａ，１９ｂは、図５に示すように、下框本体４３と、下框本体４３の下部に取付けた補助材４４の２部材で構成されている。下框本体４３は、室外側面と室内側面が溝や段差のないフラット面に形成されており、下面には下向きに開口した溝を有し、該溝内に補助材４４を嵌め込んである。補助材４４は、室外側と室内側にタイト材保持溝を有し、室内外方向の中央部には上方に突出して設けた戸車収容部４６と下方に突出して設けた案内溝４７とを有している。タイト材保持溝には、タイト材４８ａ，４８ｂが案内溝４７を室外側と室内側から挟むように下向きに取付けられ、タイト材４８ａ，４８ｂの先端部は外側に屈曲してフラットな下枠上面８に当接している。戸車収容部４６には戸車２３ａ，２３ｂが取付けてあり、戸車２３ａ，２３ｂの車輪４９には外周面にレール２８ａ，２８ｂと係合する浅い溝が形成してある。案内溝４７には、レール２８ａ，２８ｂ上に取付けたガイドブロック２９ａ，２９ｂを通してある。なお戸車２３ａ，２３ｂは高さ調整自在に設けてあり、戸車の高さ調整により各障子１２ａ，１２ｂの建て付けを調整できるようになっている。
【００１９】
外障子１２ａと内障子１２ｂのサッシ枠１１への建て込みは、通常のサッシと同様に室内側や室外側から上下けんどん式に行うことができ、戸車２３ａ，２３ｂの車輪４９を下枠２のレール２８ａ，２８ｂ上に乗せると同時に下框補助材４４の案内溝４７にガイドブロック２９ａ，２９ｂが挿入される。このように、ガイドブロック２９ａ，２９ｂが下框補助材４４の案内溝４７に挿入されていることで、戸車の車輪４９のレール２８ａ，２８ｂからの脱輪を防止できる。外障子１２ａと内障子１２ｂは、それぞれ戸先側の戸車２３ａがガイドブロック２９ａ，２９ｂに衝突する手前までスライドさせて開けることができる。
【００２０】
網戸１３は、図４〜６に示すように、上框５０と下框５１と左右の竪框５２ａ，５２ｂを方形に枠組みし、その枠内に網５３を張って構成してある。上框５０は、図５に示すように、上方に開放した溝部５４を有し、溝部５４に上枠１４の垂下片２５を差し入れてガイドされている。
下框５１内部の左右両端部には、戸車５５が取付けてある。戸車５５は、図５に示すように、下枠２の網戸用レール３０の平坦な戸車走行部３１上を転動する車輪５６と、下向きに曲がった網戸用レール３０の裏側に係合する鉤状のガイド部５７とを有している。このようにガイド部５７が網戸用レール３０の裏側に係合していることで、車輪５６に網戸用レール３０との引っ掛かりがなくても網戸１３をレール３０に沿って安定してスライドでき、尚且つ網戸１３が浮き上がってレール３０から外れるのをガイド部５７により防止できる。なお、ガイド部５７は上下方向に移動可能に設けてあり、網戸１３の着脱時には、ガイド部５７を網戸用レール３０の垂下部３２に引っ掛からないように下に下げる。
【００２１】
本サッシは以上に述べたように形成され、竪枠１ａ，１ｂと下枠２との内周コーナー部３にコーナーピース４が取付けてあり、コーナーピース４の本体部５が竪枠内周面７と下枠上面８とを凹曲面状の傾斜面９で接続しているので、竪枠１ａ，１ｂと下枠２との内周コーナー部３にゴミが溜まらず、且つ雑巾等で容易に掃除できる。しかもコーナーピース４は、下枠２端部に形成した切欠部１０に係止爪６を側方より係止し、竪枠内周面７に下枠２端部を当接させることで固定しているので、ビスを使わずに強固に固定できる。
さらに本サッシは、下枠２の外障子１２ａと内障子１２ｂ用のレール２８ａ，２８ｂを下枠上面８から僅かに隆起する形で形成し、且つ網戸用レール３０を下枠上面８の室外側に連続する下向きＬ字状断面に形成して下枠上面８を略フラットとし、上方に突き出たレールや溝をなくしたので、下枠２を雑巾等で容易に掃除することができ、溝にゴミが溜まることもない。
また従来のサッシでは、竪枠１ａ，１ｂの内周面に戸先框２０ａ，２０ｂとの係合部が内周側に直角に突き出たフィン状に形成されていたが、本サッシではこれに相当する係合部２７ａ，２７ｂを竪枠内周面７から隆起する断面略台形状に形成したので、竪枠１ａ，１ｂも雑巾等で掃除しやすくなっている。さらに、内外障子１２ａ，１２ｂ及び網戸１３の各框の室外側面と室内側面も溝や段差のないフラット面としたので、障子１２ａ，１２ｂと網戸１３の框も雑巾等で掃除しやすくなっている。
【００２２】
外障子１２ａと内障子１２ｂは、閉鎖した状態では、図５に示すように上框１８ａ，１８ｂが上枠１４の上レール２６ａ，２６ｂにガイドされ、図６に示すように竪枠１ａ，１ｂの係合部２７ａ，２７ｂと戸先框２０ａ，２０ｂの凹部４０ａ，４０ｂとが係合し、さらにガイドブロック２９ａ，２９ｂにより戸尻側下部の室内外方向の移動が規制されるため、強風を受けてもサッシ枠１１から障子１２ａ，１２ｂが外れることがない。障子１２ａ，１２ｂの開閉時や開放時においても、図５に示すように、下枠２のレール２８ａ，２８ｂ上に取付けたガイドブロック２９ａ，２９ｂが下框１９ａ，１９ｂ下部の案内溝４７に通してあることで、障子１２ａ，１２ｂがサッシ枠１１から外れるのを確実に防止できる。また、下框１９ａ，１９ｂの案内溝４７を室外側と室内側から挟むようにタイト材４８ａ，４８ｂを配設し、タイト材４８ａ，４８ｂの先端部が下枠上面８に当接していることで、下框１９ａ，１９ｂと下枠２間の水密性・気密性を確保できる。
【００２３】
図８，９は、コーナーピース４の他の実施形態を示している。コーナーピース４は、本体部５に竪枠１ｂの係合部２７ｂと連続する突部３７が設けてあり、突部３７の上面より上方に突出して、竪枠の係合部２７ｂ内の中空部５８に嵌合する係止突部５９が設けてある。本コーナーピース４は、竪枠１ｂと下枠２とを枠組みする際に、係止突部５９を竪枠１ｂの係合部２７ｂ内の中空部５８に下方より挿入して配置し、下枠２の端部をシール材３８が貼着された竪枠内周面７に突き当て、ビス３３により竪枠１ｂと下枠２とを固定すると、コーナーピース４の突部３７が竪枠１ｂの係合部２７ｂの下面と下枠上面８とで挟み込まれ、且つ係止突部５９が竪枠１ｂの係合部２７ｂ内の中空部５８に嵌合していることで、コーナーピース４は竪枠１ｂと下枠２との内周コーナー部３に固定される。
竪枠内周面７と下枠２端面との間に介在するシール材３８は、図９に示すように、下枠上面８より上方までのびており、コーナーピース４の本体部５の側面下部にはシール材３８の厚み分の凹部６０が形成してあり、シール材３８の上部がその凹部６０に進入している。このようにシール材３８をコーナーピース４の本体部５まで進入させることで、コーナー部のシール性をより向上できる。
【００２４】
図１０，１１は、コーナーピース４のさらに別の実施形態を示している。コーナーピース４は、本体部５の下面に室内外方向に間隔をおいて係止突起６１，６１が２つ設けてあり、下枠上面８には係止突起６１，６１が挿入される孔６２，６２を設けている。このように構成した場合でもコーナーピース４は、突部３７が竪枠１ｂの係合部２７ｂの下面と下枠上面８とで挟み込まれ、且つ係止突起６１，６１が下枠上面８に形成した孔６２，６２に嵌合することにより、竪枠１ｂと下枠２との内周コーナー部３に固定される。
【００２５】
なおコーナーピース４は、本体部５の傾斜面９が凹曲面状のものに限らず、図１２（ａ）に示すように、傾斜面９が一定の角度（例えば４５°）で傾斜したものや、図１２（ｂ）に示すように、傾斜面９が角度の異なる傾斜面９ａ，９ｂ，９ｃが連なって凹んだ形に形成されたもの、図１２（ｃ）に示すように、傾斜面９が傾斜面９ｄ，９ｅと凹曲面９ｆとが合わさって構成されたものでもよい。
またコーナーピース４は、係止部を竪枠１ａ，１ｂと下枠２の両方にそれぞれ係止するように設けることもできる。
【００２６】
本発明は以上に述べた実施形態に限定されない。下枠２は、障子１２ａ，１２ｂ用や網戸１３用のレールが下枠上面８から突き出たものや、従来型のノンレールサッシの下枠（レールが本実施形態のものと同様に下枠上面から若干隆起する形で形成され、レールに沿って下框より垂下する垂下片を差し入れるガイド溝を形成したもの）であってもよい。竪枠１ａ，１ｂの係合部２７ａ，２７ｂは、通常のサッシのように内周側に突出するフィン状であってもよく、コーナーピース４はそのフィン状の係合部の室外側と室内側とに分割してもよい。コーナーピース４の係止爪６の形状は任意であり、例えば室外側や室内側を向く鉤状であってもよく、また係止爪６は一つだけ設けてもよい。本発明は引き違いサッシに限らず、上げ下げ窓、回転窓、すべり出し窓など、あらゆるタイプの窓のサッシに適用できる。また本発明は、窓用のサッシの他、出入口用のサッシにも適用できる。
【符号の説明】
【００２７】
１ａ，１ｂ  竪枠
２  下枠
３  内周コーナー部
４  コーナーピース
５  本体部
６  係止爪（係止部）
７  竪枠内周面
８  下枠上面
９  傾斜面
１０  切欠部（被係止部）
３８  シール材
５８  中空部（被係止部）
５９  係止突部（係止部）
６１  係止突起（係止部）
６２  孔（被係止部）
【図１】
2010163858.tif 000003
【図２】
2010163858.tif 000004
【図３】
2010163858.tif 000005
【図４】
2010163858.tif 000006
【図５】
2010163858.tif 000007
【図６】
2010163858.tif 000008
【図７】
2010163858.tif 000009
【図８】
2010163858.tif 000010
【図９】
2010163858.tif 000011
【図１０】
2010163858.tif 000012
【図１１】
2010163858.tif 000013
【図１２】
2010163858.tif 000014